(57)【要約】【課題】  本発明の目的は、地震等の横揺れによる水平力に充分に耐えられるコンクリート基礎の補強構造を提供することである。【解決手段】  請求項１記載の本発明は、アンカーボルト１３がその下端部を埋設して立設されたコンクリート基礎１６の補強構造であって、コンクリート基礎１６の上端部のアンカーボルト１３の埋設部分周辺が、水平力に対して補強可能な補強材１１で補強され、前記補強材は防錆材料又は防錆処理を施した鉄筋棒、型鋼片のいずれかで形成され、前記補強材の上端部の埋設深さが4センチメートル未満であることを特徴とする。【選択図】  図１ 
2005188142.tif 000002
【特許請求の範囲】
【請求項１】
アンカーボルトがその下端部を埋設して立設されたコンクリート基礎の補強構造であって、コンクリート基礎の上端部のアンカーボルト埋設部分周辺が、水平力に対して補強可能な補強材で補強され、前記補強材は防錆材料であるか、又は防錆処理を施した金網、鉄筋棒、型鋼片のいずれかで形成され、前記補強材の上端部の埋設深さが4センチメートル未満であることを特徴とするコンクリート基礎の補強構造。
【発明の詳細な説明】
【技術分野】
【０００１】
本発明は地震の横揺れ等の水平力に強いコンクリート基礎の補強構造に関する。  
【背景技術】
【０００２】
従来、コンクリート基礎はコンクリートの中に埋設されて立設されたアンカーボルトで建物床梁部を締結し建物全体の荷重をコンクリート基礎に伝え、コンクリート基礎に建物をしっかりと支持している。補強には普通鉄筋が使用され、防錆のため4センチメートル以上の被り厚が必要で、4センチメートル以上の深さに埋設される。
アンカーボルトは、下端部が湾曲されてコンクリート部分に付着され、垂直、水平力に耐える様に強度が保持されている。コンクリート基礎には、構造強度上から、鉄筋を埋設して補強がなされ、下端部のベース部分と中央部付近にアンカーボルトに平行に立設された主筋部が埋設されている。コンクリート基礎は下端部のベース部分に配筋されていると垂直力に対してコンクリート付着力が充分あるが、地震の横揺れ等の水平力が働くと、アンカーボルト周辺部に水平荷重が集中しやすく、アンカーボルト周辺部にも補強が必要となる。
【０００３】
なお補強構造としては、例えば特許文献1に記載されているように、コンクリート基礎の上端部のアンカーボルト埋設周辺部を水平力に対して補強材で補強することが知られており、これがコンクリート基礎全体の付着強度に有効に作用している。
【特許文献１】特開平１１─１５２７５５号公報
【発明の開示】
【発明が解決しようとする課題】
【０００４】
その後の研究により、アンカーボルト埋設部周辺部の水平力に対する補強は浅い程、すなわちアンカーボルトのできるだけ高い位置に設けるほうが補強効果が高いことが判明した。
しかしながら、上記のようにアンカーボルト埋設周辺の補強材をできるだけ高い位置に配置すると、一般の鉄筋と同様4ｃｍ以上のかぶり厚を設けることができず防錆性能，耐久性に問題があり、被り厚（埋設深さ）４センチメートル未満の高い位置での補強はなされていなかった。
【０００５】
本発明は、上記問題点を解決して。耐久性があり、地震等の横揺れによる水平力に充分耐えられるコンクリート基礎の補強構造を提供することを目的とする。
【課題を解決するための手段】
【０００６】
請求項１に記載の本発明はアンカーボルトがその下端部を埋設して立設されたコンクリート基礎の補強構造であって、コンクリート基礎の上端部のアンカーボルト埋設部分周辺が、水平力に対して補強可能な補強材で補強され、前記補強材は防錆材料又は防錆処理を施した鉄筋棒、金網、型鋼片のいずれかで形成され、前記補強材の上端部の埋設深さが4センチメートル未満であることを特徴とする。
（作用）
【０００７】
請求項１に記載のコンクリート基礎の補強構造は、コンクリート基礎の上端部のアンカーボルト埋設部分周辺が、水平力に対して補強可能な補強材で補強され、前記補強材はコンクリート基礎の上端部からの埋設深さが4センチメートル未満の補強材により補強されているので、基礎の最も高い位置までの補強効果が得られ、地震等の横揺れによる水平力に充分に耐えられる。
更に、補強材は防錆処理を施された鉄筋棒、金網、型鋼片のいずれかで形成されるので、上端部からの埋設深さが4センチメートル未満であっても、防錆効果が発揮され耐久性が良好である。補強材としてとしては鉄材に溶融亜鉛メッキ仕上げを施し、防錆処理された鉄筋棒、形鋼片、金網、が使用される。また主筋の一部又は全体に防錆処理をすれば主筋を上方向に延長して補強材としてもよく、又補強材として防錆材料であるステンレス鋼を使用してもよい。
【発明の効果】
【０００８】
請求項１のコンクリート基礎の補強構造は、コンクリート基礎の上端部のアンカーボルト埋設部分周辺が、基礎の最も高い位置まで補強され最大の補強効果が得られ、地震等の横揺れによる水平力に充分に耐えられる。そして、補強材は防錆処理が行われているので耐久性も良好である。
【発明を実施するための最良の形態】
【０００９】
以下に実施例を挙げて、本発明をさらに詳しく説明する。
図１は第１実施例を示す説明図であって、イ図は防錆処理された補強材１１ａが水平棒状補強材、１１ｂが垂直棒状補強材である場合の基礎の断面図、ロ図はＡーＡ矢視の断面図である。
図２は第２実施例を示す説明図であって、イ図は主筋１３、１４を防錆処理し上方に延長し補強材１１ｂ，１２ｂとした場合の基礎の断面図、ロ図はＡーＡ矢視の断面図である。
図３は第３実施例を示す説明図であって、イ図は防錆処理された補強材の型鋼片がアンカーボルト１３に取り付けられた基礎の断面図、ロ図は平面図、ハ図は補強材１１ｅである型鋼片がアンカーボルト１３に挿入された状態の斜視図である。
【００１０】
まず、第１〜３実施例に共通して概要を説明する。全てのイ図は基礎の断面図でアンカーボルト周辺部を表している。すべてを図示していないが、逆Ｔ型をした断面に示すように基礎は底盤部１６ａと立ち上がり部１６ｂとから形成されている。独立基礎、布基礎、底盤部が一体となったベタ基礎とがあり、それぞれ地盤の性質により設計されるが、立ち上がり部の断面形状は略同一形状をなしている。また、鉄筋とコンクリートの外面との被り厚さが構造強度上、建物外壁面が内壁側より大きくなっている。
底盤部１６ａと立ち上がり部１６ｂにそれぞれ水平主筋１３、垂直主筋１４が水平、垂直方向に配筋されている（なお底盤部１６ａの配筋は図示省略）。立ち上がり部１６ｂの上部に建物が載架されている。補強材１１はいずれも水平主筋１３より上部に設置されている。
また、アンカーボルトは、上端部をコンクリート基礎１５の上部に突出させ、上端部以外は立ち上がり部１５ｂに埋設されている。
【実施例１】
【００１１】
第１実施例（図１）において、イ図の１１ａは溶融亜鉛メッキで防錆処理された棒状水平補強材、１２ａは溶融亜鉛メッキで防錆処理された棒状垂直補強材であって、コンクリート基礎１６の立ち上がり部１６ｂに下端部を埋設して立設されたアンカーボルト１３の周辺で水平主筋１４、垂直主筋１５の上方に設置され、コンクリート基礎への埋設深さの最浅部が４センチメートル未満で埋設設置されている。このようにするとコンクリート基礎の立ちあがり部１６ｂの最も高い位置まで補強効果があり、補強材が錆びることなく耐久性も良好である。
【実施例２】
【００１２】
第２実施例（図２）において、イ図の１１ｂ，１２ｂは主筋を上方に延長し、亜鉛メッキで防錆処理された補強材であって、コンクリート基礎１６の立ち上がり部１６ｂに下端部を埋設して立設されたアンカーボルト１３周辺に設置されている。
水平補強材１１ａ垂直補強材１２ｂである水平補強材の上端部はコンクリート基礎１６の立ち上がり部１６ｂの上端から４センチメートル未満の位置に埋設設置されている。このようにすると主筋と補強材が完全に一体化するので補強効果が向上し、さらにコンクリート基礎の立ちあがり部１６ｂの最も高い位置まで補強効果があり、補強材が錆びることなく耐久性も良好である。また亜鉛メッキの代わりに亜鉛粉末を配合したジンクリッチ塗料で防錆することもできる。
【実施例３】
【００１３】
第３実施例（図３）において、イ図の１１ｃは溶融亜鉛メッキで防錆処理された型鋼片で形成された補強材であって、コンクリート基礎１６の立ち上がり部１６ｃに埋設されたアンカーボルト１３周辺に設置されている。ハ図のように補強材の形状は型鋼片に開口孔を設けアンカーボルト１３を挿入して、アンカーボルト１３に固定された状態で設置されている。補強材１１ｃの埋設深さは、一番浅い所で基礎の上端から４センチメートル未満のところに埋設される。
アンカーボルトはあらかじめ補強材１１ｃが固定されているのでコンクリート打設前に基礎上から横主筋１４に置く様に固定される。
Ｌ型鉄骨製の補強材１１ｃが、基礎の上端から４センチメートル未満のところに埋設され防錆処理もされているので、垂直、水平力にたいしてアンカーボルト１３の周辺の付着強度が補強され、耐久性にも優れる。
【００１４】
上記コンクリート基礎１６の補強構造においては、アンカーボルト１３の埋設部分の上端部周辺を、水平力に対してアンカーボルト１３の付着強度を補強する為に補強材１１が設置されている。
補強材１１を防錆処理をされた鉄筋もしくは型鋼片にすると、アンカーボルト１３周辺の基礎が補強され、水平荷重に充分な付着強度を保持でき、基礎の上端から４センチメートル未満のところに埋設され最大の補強効果が得られ、錆びることなく耐久性にも優れたものとなる。
また、あらかじめ補強材１１とアンカーボルト１３が一体で固定されていると現場での作業が簡素化できる。
【産業上の利用可能性】
【００１５】
住宅のコンクリート基礎の補強効果が効果的で耐久性のある補強構造に適用できる。
【図面の簡単な説明】
【００１６】
【図１】第1 実施例を示す説明図。
【図２】第２実施例を示す説明図。
【図３】第３実施例を示す説明図。
【符号の説明】
【００１７】
１１ａ、ｂ          補強材
１２ａ、ｂ          補強材
１１ｃ              型鋼片
１３                アンカーボルト
１４                横主筋
１５                縦主筋
１６                コンクリート基礎
１６ａ              底盤部
１６ｂ              立ち上がり部
【図１】
2005188142.tif 000003
【図２】
2005188142.tif 000004
【図３】
2005188142.tif 000005